(57)【要約】【課題】冷却水等の残量を確認する際にエンジンフードや車体に頭部をぶつけてしまうこと未然に防止する。【解決手段】ラジエータサポート１０に、車両前方からタンク３０、４０内の冷却水等の残量を目視するできる視認窓１３、１４を設ける。これにより、冷却水等の残量を確認する際にエンジンフードや車体に頭部をぶつけてしまうこと未然に防止することができるとともに、冷却水等の残量を容易に確認することができるとともに、冷却水等の残量を容易に確認することができる。【選択図】　　　　図１
2004067010.tif 000002
【特許請求の範囲】
【請求項１】
車両前端部にて車両ボディに固定され、少なくともラジエータ（２０）が組み付けられたラジエータサポート（１０）と、
車両前端部のうち前記ラジエータサポート（１０）より車両後方側に配置され、流体を蓄えるタンク（３０、４０）とを備え、
前記ラジエータサポート（１０）には、車両前方側から前記タンク（３０、４０）を目視することができる視認窓（１３、１４）が設けられていることを特徴とする車両の前端構造。
【請求項２】
車両前端部にて車両ボディに固定され、少なくともラジエータ（２０）が組み付けられる本体部（１１）を有するラジエータサポートであって、
前記本体部（１１）より車両後方側に配置されて流体を蓄えるタンク（３０、４０）を、車両前方側から目視することができる視認窓（１３、１４）が設けられていることを特徴とするラジエータサポート。
【請求項３】
前記タンク（３０）が前記本体部（１１）に一体化されていることを特徴とする請求項２に記載のラジエータサポート。
【発明の詳細な説明】
【０００１】
【発明の属する技術分野】
本発明は、車両の前端構造及び車両の前端部に搭載されるラジエータサポートに関するものである。
【０００２】
【従来の技術】
車両の前端構として、例えば特許第３２９３５４６号公報に記載の発明では、ファンシュラウドにラジエータ用のリザーブタンクを一体化するとともに、リザーブタンク内の冷却水量を確認するレベルゲージ部をリザーブタンクの車両後方側に設けている。
【０００３】
なお、リザーブタンクとは、ラジエータ内の冷却水量の変化を吸収するものであり、ラジエータサポートは、少なくともラジエータ等の熱交換器が組み付けられるもので、文献によっては、キャリア又はフロントエンドパネルと呼ばれる。
【０００４】
【発明が解決しようとする課題】
しかし、レベルゲージ部をリザーブタンクの車両後方側に設けているので、リザーブタンク内の冷却水残量を目視にて確認する際に、図４に示すように、頭部をエンジンルーム内に入れるようにして冷却水残量を確認する必要がある。
【０００５】
このため、軽自動車等の車両前端部が短い車両では、冷却水残量を確認する際にエンジンフードや車体に頭部をぶつけてしまうおそれが高い。
【０００６】
本発明は、上記点に鑑み、第１には、従来と異なる新規な車両の前端構造及びラジエータサポーを提供し、第２には、冷却水等の残量を確認する際にエンジンフードや車体に頭部をぶつけてしまうこと未然に防止することを目的とする。
【０００７】
【課題を解決するための手段】
本発明は、上記目的を達成するために、請求項１に記載の発明では、車両前端部にて車両ボディに固定され、少なくともラジエータ（２０）が組み付けられたラジエータサポート（１０）と、車両前端部のうちラジエータサポート（１０）より車両後方側に配置され、流体を蓄えるタンク（３０、４０）とを備え、ラジエータサポート（１０）には、車両前方側からタンク（３０、４０）を目視することができる視認窓（１３、１４）が設けられていることを特徴とする。
【０００８】
これにより、タンク（３０、４０）内の流体残量を確認する際にエンジンフードや車体に頭部をぶつけてしまうこと未然に防止することができるとともに、冷却水等の残量を容易に確認することができるとともに、従来と異なる新規な車両の前端構造を得ることができる。
【０００９】
請求項２に記載の発明では、車両前端部にて車両ボディに固定され、少なくともラジエータ（２０）が組み付けられる本体部（１１）を有するラジエータサポートであって、本体部（１１）より車両後方側に配置されて流体を蓄えるタンク（３０、４０）を、車両前方側から目視することができる視認窓（１３、１４）が設けられていることを特徴とする。
【００１０】
これにより、タンク（３０、４０）内の流体残量を確認する際にエンジンフードや車体に頭部をぶつけてしまうこと未然に防止することができるとともに、冷却水等の残量を容易に確認することができるとともに、従来と異なる新規なラジエータサポーを得ることができる。
【００１１】
請求項３に記載の発明では、タンク（３０）が本体部（１１）に一体化されていることを特徴とするもである。
【００１２】
因みに、上記各手段の括弧内の符号は、後述する実施形態に記載の具体的手段との対応関係を示す一例である。
【００１３】
【発明の実施の形態】
図１は本実施形態に係る車両の前端構造を示す正面図であり、図２は図１のＡ−Ａ断面図であり、図３は図１のＢ−Ｂ断面図である。
【００１４】
ラジエータサポート１０は、ラジエータ２０が組み付け固定されるラジエータサポート本体部１１（以下、本体部１１と略す。）、及び本体部１１を車両ボディに固定するための固定部１２等からなるもので、本体部１１及び固定部１２は、炭素繊維やガラス繊維等の強化部材により機械的強度が強化された樹脂にて一体成形されている。
【００１５】
リザーブタンク３０はラジエータ２０内の冷却水量の変化を吸収するための冷却水が蓄えられた容器であり、このリザーブタンク３０は本体部１１、つまりラジエータサポート１０より車両後方側に配置されている。
【００１６】
そして、本体部１１、つまりラジエータサポート１０には、車両前方側からリザーブタンク３０内の冷却水残量を目視にて確認するための視認窓１３が設けられている。
【００１７】
なお、本実施形態では、図２に示すように、リザーブタンク３０の一部と本体部１１とが一体成形されているので、本体部１１に設けられた視認窓１３には、半透明状のレベルゲージ部３１ａが填め込んだ状態で接合されている。因みに、ラジエータサポート１０は略黒色としている。
【００１８】
また、ウォッシャタンク４０は、車両のフロントガラスに噴射する洗浄液を蓄える容器であり、このウォッシャタンク４０はレベルゲージ部が車両前面側に位置するように本体部１１、つまりラジエータサポート１０より車両後方側に配置されている。
【００１９】
そして、本体部１１のうちウォッシャタンク４０に対応する部位には、車両前方側からウォッシャタンク４０内の洗浄液量を目視にて確認するための視認窓１４が設けられている。
【００２０】
なお、ウォッシャタンク４０は、ボルト等の機械的な締結手段により本体部１１に組み付け固定されており、ラジエータサポート１０とは別部品であるので、視認窓１４は単純な開口部としている。
【００２１】
次に、本実施形態の作用効果を述べる。
【００２２】
本実施形態では、本体部１１、つまりラジエータサポート１０に、車両前方からタンク３０、４０を目視するできる視認窓１３、１４が設けられているので、冷却水等の残量を確認する際にエンジンフードや車体に頭部をぶつけてしまうこと未然に防止することができるとともに、冷却水等の残量を容易に確認することができる。
【００２３】
（その他の実施形態）
上述の実施形態では、リザーブタンク３０をラジエータサポート１０に一体化し、ウォッシャタンク４０をラジエータサポート１０と別体化したが、本発明はこれに限定されるものではなく、例えば両タンク３０、４０をラジエータサポート１０に一体化する、又は両タンク３０、４０をラジエータサポート１０と別体化する等してもよい。
【００２４】
また、上述の実施形態では、ラジエータサポート１０を樹脂製としたが、本発明はこれに限定されるものではなく、例えばアルミニウム、マグネシウム又は鉄等の金属製としてもよい。
【００２５】
また、タンク３０、４０とラジエータサポート１０とを別体としたときには、レベルゲージ部をラジエータサポート１０及びタンク３０、４０のいずれ側に設けてもよい。
【図面の簡単な説明】
【図１】本発明の実施形態に係る車両の前端構造を示す正面図である。
【図２】図１のＡ−Ａ断面図である。
【図３】図１のＢ−Ｂ断面図である。
【図４】従来技術の問題点を説明するための説明図である。
【符号の説明】
１０…ラジエータサポート、１１…ラジエータサポート本体部、
１３、１４…視認窓、２０…ラジエータ、３０…リザーブタンク、
４０…ウォッシャタンク。
【図１】
2004067010.tif 000003
【図２】
2004067010.tif 000004
【図３】
2004067010.tif 000005
【図４】
2004067010.tif 000006